(57)【特許請求の範囲】
【請求項１】
基地局と移動局との間を無線中継する無線中継増幅装置において、
前記基地局との間で無線電波を受信する対基地局用アンテナと、
前記移動局との間で無線電波を送信する対移動局用アンテナと、
前記対基地局用アンテナで受信された下り信号のうち、前記対移動局用アンテナからの回り込み波を打ち消すキャンセル波を生成する回り込みキャンセル部と、
前記キャンセル部で回り込み波がキャンセルされた下り信号を増幅する下り増幅器と、
前記対移動局用アンテナで受信された上り信号を増幅する上り増幅器と、
前記キャンセル部で回り込み波がキャンセルされた下り信号から受信信号のレベルを検出し、検出された受信レベルと、前記下り信号中の報知情報に含まれる前記基地局の送信レベルとの差を伝播損失として出力する受信機と、
前記受信機により出力された伝播損失に基づいて前記下り増幅器及び上り増幅器の少なくとも一方の利得を制御する制御部と
を具備することを特徴とする無線中継増幅装置。
【請求項２】
前記受信機は、前記下り増幅器で増幅された後の下り信号の受信レベルを検出することを特徴とする請求項１記載の装置。
【請求項３】
前記キャンセル部と前記下り増幅器との間に設けられ、前記受信信号の通過及び遮断を選択的に行うフィルタをさらに具備することを特徴とする請求項１記載の装置。
【請求項４】
前記フィルタが前記受信信号を通過させる場合は前記キャンセル部で回り込み波がキャンセルされた下り信号を前記受信機に入力し、前記フィルタが前記受信信号を遮断する場合は前記キャンセル部で回り込み波がキャンセルされる前の下り信号を前記受信機に入力するように切り替える切替器をさらに具備することを特徴とする請求項３記載の装置。
【請求項５】
前記回り込み波が発生している場合は前記キャンセル部で回り込み波がキャンセルされた下り信号を前記受信機に入力し、前記回り込み波が発生していない場合は前記キャンセル部で回り込み波がキャンセルされる前の下り信号を前記受信機に入力するように切り替える切替器をさらに具備することを特徴とする請求項３記載の装置。
【発明の詳細な説明】
【技術分野】
【０００１】
本発明は、基地局と移動局との間を無線中継する無線中継増幅装置に係り、特に自動利得制御機能及び回り込みキャンセル機能を備えた無線中継増幅装置に関する。
【背景技術】
【０００２】
無線中継増幅装置は、基地局と、移動局である携帯電話機等のユーザー側端末装置との間の中継を行う。無線中継増幅装置は、基地局からの電波を増幅して送信し、ユーザー側端末装置の使用できるエリアを拡張するものであり、同様にユーザー側端末装置より送信される電波を増幅して基地局へ送信するものである。
【０００３】
図９は、基地局１０と、移動局であるユーザー側端末装置１５との間を中継する従来の無線中継増幅装置２０の構成例を示すブロック図である。基地局１０は、無線中継増幅装置２０との間で無線電波を送受信するアンテナ１１を備えている。上記基地局１０からは、ユーザー側端末装置１５に対する通信情報の他に基地局１０の送信電力等を示す情報が報知情報１２として送信されている。
【０００４】
無線中継増幅装置２０は、基地局側入出力端子２１及び移動局側入出力端子２２を備え、基地局側入出力端子２１に対基地局用アンテナ２３が接続され、移動局側入出力端子２２に対移動局用アンテナ２４が接続される。また、上記基地局側入出力端子２１には下り入力フィルタ２５ａ及び上り出力フィルタ２５ｂが接続され、移動局側入出力端子２２には下り出力フィルタ２６ａ及び上り入力フィルタ２６ｂが接続される。
【０００５】
そして、上記下り入力フィルタ２５ａと下り出力フィルタ２６ａとの間の下り信号ラインには、下り信号を２分配する分配器２７及び下り増幅器２８が設けられる。また、上り入力フィルタ２６ｂと上り出力フィルタ２５ｂとの間の上り信号ラインには、上り増幅器２９が設けられる。
【０００６】
また、上記分配器２７で分配された信号は、自動利得制御用の受信機３１に入力される。受信機３１は、基地局１０から送られてくる報知情報１２を受信し、報知情報１２に含まれる基地局１０の送信電力と受信機３１によって受信された受信電力との差によって電波の損失、すなわち、基地局１０と無線中継増幅装置２０との間における電波の伝播損を算出し、その算出結果を制御部３２に出力する。
【０００７】
上記制御部３２は、無線中継増幅装置２０から基地局１０に送信される電波に含まれる雑音が基地局１０の受信系に影響を及ぼさないように、上記受信機３１により算出された伝播損に基づいて上り増幅器２９の利得を制御し、また、下り信号ラインに設けられている下り増幅器２８についても利得を制御する。
【０００８】
上記のように従来の無線中継増幅装置２０では、基地局１０から送信された電波を対基地局用アンテナ２３で受信し、その受信信号を分配器２７で分配して受信機３１に入力する。そして、受信機３１は基地局１０からの報知情報１２に含まれる基地局１０の送信電力と受信機３１によって受信された受信電力の差によって電波の伝播損を算出し、その算出結果等に基づいて制御部３２が上り増幅器２９及び下り増幅器２８の利得を制御している。
【０００９】
また、本発明に関連する公知技術として、受信した入力波を増幅して出力波として送信する無線中継増幅装置において、前記出力波のうち、前記入力波と共に受信された回り込み波による発振が起きないよう、電源投入時の装置利得を十分低くしておき、段階的に前記装置利得を引き上げると共に、前記回り込み波を打ち消すキャンセル波を生成し、前記キャンセル波を前記入力波及び回り込み波と合成して増幅する動作を、前記装置利得が回り込み波による発振が起きない範囲で最適な装置利得に達するまで行うようにした技術が知られている（例えば、特許文献１参照。）。  
【特許文献１】特開２０００−２８６７７２号公報
【発明の開示】
【発明が解決しようとする課題】
【００１０】
上記図９に示したような従来の無線中継増幅装置２０において、受信機３１は基地局１０から送られてくる報知情報１２と受信信号のレベルとを利用し、基地局１０の受信系に影響を与えないように雑音指数などを考慮して利得を自動的に制御する自動利得制御機能（インテリジェント機能）を実現するためのもので、装置の運用に重要な意味を持っており、報知情報を受信できない場合には装置の運用を継続することは極めて困難なものになる。
【００１１】
特に開空間で使用される無線中継増幅装置２０は、対基地局用アンテナ２３と対移動局用アンテナ２４の分離度（アイソレーション）３３が悪化すると電波の回り込みが発生し、装置入力に装置の出力が合成されて波形品質の劣化を起こす原因となり、分離度３３が装置の利得を下回ると発振を引き起こし、中継増幅動作を継続することができなくなる。
【００１２】
本発明は上記の課題を解決するためになされたもので、対基地局用アンテナと対移動局用アンテナとの間に電波の回り込みを生じた場合でも、受信性能の劣化を抑えて中継増幅動作を継続することができる無線中継増幅装置を提供することを目的とする。
【課題を解決するための手段】
【００１３】
本発明は、基地局と移動局との間を無線中継する無線中継増幅装置において、前記基地局との間で無線電波を受信する対基地局用アンテナと、前記移動局との間で無線電波を送信する対移動局用アンテナと、前記対基地局用アンテナで受信された下り信号のうち、前記対移動局用アンテナからの回り込み波を打ち消すキャンセル波を生成する回り込みキャンセル部と、前記キャンセル部で回り込み波がキャンセルされた下り信号を増幅する下り増幅器と、前記対移動局用アンテナで受信された上り信号を増幅する上り増幅器と、前記キャンセル部で回り込み波がキャンセルされた下り信号から受信信号のレベルを検出し、検出された受信レベルと、前記下り信号中の報知情報に含まれる前記基地局の送信レベルとの差を伝播損失として出力する受信機と、前記受信機により出力された伝播損失に基づいて前記下り増幅器及び上り増幅器の少なくとも一方の利得を制御する制御部とを具備する。
また、本発明の一態様は、前記受信機は、前記下り増幅器で増幅された後の下り信号の受信レベルを検出する。
また、本発明の一態様は、前記キャンセル部と前記下り増幅器との間に設けられ、前記受信信号の通過及び遮断を選択的に行うフィルタをさらに具備する。
また、本発明の一態様は、前記フィルタが前記受信信号を通過させる場合は前記キャンセル部で回り込み波がキャンセルされた下り信号を前記受信機に入力し、前記フィルタが前記受信信号を遮断する場合は前記キャンセル部で回り込み波がキャンセルされる前の下り信号を前記受信機に入力するように切り替える切替器をさらに具備する。
さらに、本発明の一態様は、前記回り込み波が発生している場合は前記キャンセル部で回り込み波がキャンセルされた下り信号を前記受信機に入力し、前記回り込み波が発生していない場合は前記キャンセル部で回り込み波がキャンセルされる前の下り信号を前記受信機に入力するように切り替える切替器をさらに具備する。
【発明の効果】
【００１４】
本発明によれば、回り込みキャンセル部を備えることにより、対移動局用アンテナから対基地局用アンテナへの回り込み波をキャンセルして入力波形品質の劣化を防止でき、入力波形品質の劣化により報知情報の受信が不能となって中継増幅動作が中断するという問題を解決することができる。
【発明を実施するための最良の形態】
【００１５】
以下、図面を参照して本発明の実施形態を説明する。  
【００１６】
（第１実施形態）
図１は本発明の第１実施形態に係る無線中継増幅装置４０Ａの構成を示すブロック図である。
【００１７】
上記無線中継増幅装置４０Ａは、図９で説明したように基地局１０と移動局であるユーザー側端末装置１５との間を中継するもので、基地局１０からはユーザー側端末装置１５に対する通信情報の他に基地局１０の送信電力を示す情報が報知情報１２として送信されている。
【００１８】
無線中継増幅装置４０Ａは、基地局側入出力端子４１及び移動局側入出力端子４２を備え、基地局側入出力端子４１の外部に対基地局用アンテナ４３が接続され、移動局側入出力端子４２の外部に対移動局用アンテナ４４が外部接続される。
【００１９】
また、上記基地局側入出力端子４１の内部には下り入力フィルタ４５ａ及び上り出力フィルタ４５ｂが接続され、移動局側入出力端子４２の内部には下り出力フィルタ４６ａ及び上り入力フィルタ４６ｂが接続される。上記下り入力フィルタ４５ａ及び下り出力フィルタ４６ａは、基地局からユーザー側端末装置へ送られる下り信号の周波数を選択し、上り入力フィルタ４６ｂ及び上り出力フィルタ４５ｂは、ユーザー側端末装置から基地局へ送られる上り信号の周波数を選択する。
【００２０】
そして、上記下り入力フィルタ４５ａと下り出力フィルタ４６ａとの間の下り信号ラインには、例えば方向性結合器を用いた分配器４７及び下り増幅器４８が設けられると共に、上記分配器４７と下り増幅器４８との間に回り込みキャンセル部５０が設けられる。この回り込みキャンセル部５０は、上記対移動局用アンテナ４４から対基地局用アンテナ４３に回り込む回り込み波を打ち消す信号（キャンセル波）を生成するものである。また、上り入力フィルタ４６ｂと上り出力フィルタ４５ｂとの間の上り信号ラインには、上り増幅器４９が設けられる。
【００２１】
また、上記分配器４７で分配された信号は、自動利得制御用の受信機５１に入力される。受信機５１は、基地局から送られてくる報知情報を受信すると共に、受信機５１に入力された信号の受信レベルを検出する。また、この受信機５１は、無線中継増幅装置４０Ａから基地局に送信する上り回線が、電波の伝播損失が最も少ない基地局の受信系に影響を与えないように雑音指数などを考慮して利得を自動制御する自動利得制御機能（インテリジェント機能）を実現するための機能を有する。上記受信機５１は、基地局からの報知情報に含まれる基地局の送信電力と受信した電力との差によって電波の損失、すなわち、基地局と無線中継増幅装置４０Ａとの間における電波の伝播損を算出し、その算出結果を制御部５２に出力する。
【００２２】
制御部５２は、無線中継増幅装置４０Ａの対基地局用アンテナ４３から基地局に送信される電波に含まれる雑音が基地局の受信系に影響を及ぼさないように、上記受信機５１により算出された伝播損に基づいて上り増幅器４９及び下り増幅器４８の少なくとも一方の利得を制御する。
【００２３】
上記の構成において、対基地局用アンテナ４３で受信された基地局からの下り信号は、無線中継増幅装置４０Ａの基地局側入出力端子４１に入力される。この基地局側入出力端子４１に入力された下り信号は、下り入力フィルタ４５ａで選択され、分配器４７、回り込みキャンセル部５０、下り増幅器４８及び下り出力フィルタ４６ａを介して移動局側入出力端子４２より出力され、対移動局用アンテナ４４からユーザー側端末装置へ送信される。
【００２４】
また、対移動局用アンテナ４４で受信されたユーザー側端末装置からの上り信号は、無線中継増幅装置４０Ａの移動局側入出力端子４２に入力される。この移動局側入出力端子４２に入力された上り信号は、上り入力フィルタ４６ｂで選択され、上り増幅器４９で増幅された後、上り出力フィルタ４５ｂを介して基地局側入出力端子４１から出力され、対基地局用アンテナ４３から基地局へ送信される。
【００２５】
また一方、上記下り信号ラインにおいて、下り入力フィルタ４５ａで選択された下り信号は、分配器４７により受信機５１に分配される。受信機５１は、基地局からの報知情報に含まれる基地局の送信電力と実際に受信した受信電力との差に基づいて基地局と無線中継増幅装置４０Ａとの間における電波の伝播損を算出し、その算出結果を制御部５２に出力する。
【００２６】
制御部５２は、上記受信機５１により算出された伝播損に基づいて上り増幅器４９の利得が最適値となるように、すなわち、対基地局用アンテナ４３から基地局に送信される電波に含まれる雑音が基地局の受信系に影響を及ぼさないように上り増幅器４９の利得を最適値に制御する。
【００２７】
上記のように対移動局用アンテナ４４から対基地局用アンテナ４３への電波の回り込みが発生した場合でも、回り込み波を回り込みキャンセル部５０により生成したキャンセル波によってキャンセルでき、対移動局用アンテナ４４からユーザー側端末装置に送信される下り信号の波形品質の劣化を防止することができる。
【００２８】
（第２実施形態）
次に本発明の第２実施形態に係る無線中継増幅装置について図２を参照して説明する。
【００２９】
図２は本発明の第２実施形態に係る無線中継増幅装置４０Ｂの構成を示すブロック図である。この第２実施形態に係る無線中継増幅装置４０Ｂは、第１実施形態に係る無線中継増幅装置４０Ａで分配器４７と下り増幅器４８との間に設けていた回り込みキャンセル部５０を下り入力フィルタ４５ａと分配器４７との間に設けたものである。その他の構成は第１実施形態と同じであるので、同一部分には同一符号を付して詳細な説明は省略する。
【００３０】
第１実施形態で示したように分配器４７と下り増幅器４８との間に回り込みキャンセル部５０を設けることにより、対移動局用アンテナ４４から対基地局用アンテナ４３への電波の回り込みが発生した場合でも、対移動局用アンテナ４４からユーザー側端末装置に送信される電波は回り込みキャンセル部５０により波形品質が改善されている。しかし、受信機５１の入力信号は、回り込みキャンセル部５０を通過していないので波形品質が劣化している場合が考えられ、回り込みキャンセル機能が十分にカバーできる量の回り込みでも、受信が不安定になる恐れがある。
【００３１】
このため第２実施形態では、分配器４７の前段に回り込みキャンセル部５０を設け、受信機５１に入力される信号の波形品質を改善している。つまり、受信機５１には、キャンセル部５０で回り込み波がキャンセルされた下り信号が入力される。この結果、対移動局用アンテナ４４から対基地局用アンテナ４３への電波の回り込みが発生した場合でも、回り込みキャンセル部５０が改善できる範囲の回り込み波形であれば、装置の送信波形品質を改善するとともに受信機５１へ入力される信号の波形品質を改善し、受信特性の改善や受信レベルの測定精度を改善して自動利得制御機能を実現でき、中継増幅動作を継続することが可能となる。
【００３２】
（第３実施形態）
次に本発明の第３実施形態に係る無線中継増幅装置について図３を参照して説明する。
【００３３】
図３は本発明の第３実施形態に係る無線中継増幅装置４０Ｃの構成を示すブロック図である。上記第２実施形態に係る無線中継増幅装置４０Ｂは、回り込みキャンセル部５０と受信機５１とを別個に独立して設けているのに対し、この第３実施形態に係る無線中継増幅装置４０Ｃでは回り込みキャンセル部５０内に受信機５１を搭載している。その他の構成は第１実施形態及び第２実施形態と同じであるので、同一部分には同一符号を付して詳細な説明は省略する。
【００３４】
上記のように回り込みキャンセル部５０内に受信機５１を搭載した第３実施形態においても、キャンセル部５０で回り込み波がキャンセルされた下り信号を受信機５１に入力することができる。このようにしても、第２実施形態と同様の効果が得られ、電波の回り込み発生時における受信レベル測定精度や受信特性を改善し、回り込みキャンセル部が有効に働く分離度量まで中継増幅動作を継続することが可能となる。また、回り込みキャンセル部５０内に受信機５１を搭載することにより、下り信号を受信機５１に分配する分配器が不要となり、回路構成を簡易化することができる。
【００３５】
（第４実施形態）
次に本発明の第４実施形態に係る無線中継増幅装置について図４を参照して説明する。
【００３６】
図４は本発明の第４実施形態に係る無線中継増幅装置４０Ｄの構成を示すブロック図である。この第４実施形態に係る無線中継増幅装置４０Ｄは、図１に示した第１実施形態の場合と同様に分配器４７と下り増幅器４８との間に第１の回り込みキャンセル部５０ａを設けると共に、分配器４７と受信機５１との間に受信専用の第２の回り込みキャンセル部５０ｂを設けたものである。その他の構成は第１実施形態と同じであるので、同一部分には同一符号を付して詳細な説明は省略する。
【００３７】
上記第４実施形態に係る無線中継増幅装置４０Ｄは、中継増幅を行う下り信号ラインでは、第１の回り込みキャンセル部５０ａにより下り信号の波形品質を改善し、対移動局用アンテナ４４からユーザー側端末装置へ送信する。
【００３８】
また、分配器４７により分配された信号は、受信専用の第２の回り込みキャンセル部５０ｂを介して受信機５１に入力される。この結果、電波の回り込みが発生した場合でも、受信機５１に入力される信号の波形品質を良好に保つことができ、受信レベル測定精度や受信特性を改善して自動利得制御動作及び中継増幅動作を回り込みキャンセル機能が働く範囲内で継続することができる。
【００３９】
（第５実施形態）
次に本発明の第５実施形態に係る無線中継増幅装置について図５を参照して説明する。
【００４０】
図５は本発明の第５実施形態に係る無線中継増幅装置４０Ｅの構成を示すブロック図である。この第５実施形態に係る無線中継増幅装置４０Ｅは、第１実施形態に係る無線中継増幅装置４０Ａで回り込みキャンセル部５０の前段に設けていた分配器４７を回り込みキャンセル部５０及び下り増幅器４８の後段、すなわち下り増幅器４８と下り出力フィルタ４６ａとのに間に設けたものである。その他の構成は第１実施形態と同じであるので、同一部分には同一符号を付して詳細な説明は省略する。
【００４１】
上記のように構成された無線中継増幅装置４０Ｅは、中継増幅を行う下り信号ラインでは、下り入力フィルタ４５ａで選択された下り信号は、回り込みキャンセル部５０により波形品質が改善され、下り増幅器４８で増幅された後、対移動局用アンテナ４４からユーザー側端末装置へ下り信号が送信される。
【００４２】
また、上記回り込みキャンセル部５０により波形品質が改善された下り信号は、下り増幅器４８で増幅された後、分配器４７で分配されて受信機５１に入力される。この結果、電波の回り込みが発生した場合でも、受信機５１における受信レベル測定精度や受信特性を改善でき、回り込みキャンセル部５０が有効に働く分離度量まで中継増幅動作を継続することが可能になる。
（第６実施形態）  
次に本発明の第６実施形態に係る無線中継増幅装置について図６を参照して説明する。
図６は本発明の第６実施形態に係る無線中継増幅装置４０Ｆの構成を示すブロック図である。この第６実施形態に係る無線中継増幅装置４０Ｆは、上記第５実施形態に係る無線中継増幅装置４０Ｅの回り込みキャンセル部５０にフィルタ５５を設けると共に、受信機５１に切替器５６を設け、さらに下り入力フィルタ４５ａで選択された下り信号を回り込みキャンセル部５０と受信機５１とに分配するようにしたものである。その他の構成は第１実施形態と同じであるので、同一部分には同一符号を付して詳細な説明は省略する。
無線中継増幅装置の中には、回り込みキャンセル部にデジタルフィルタや、アナログフィルタ等で構成されるフィルタ５５を備えているものがある。このようにフィルタ５５を備えることにより、キャリア毎の通過、遮断の制御を可能とし、入力される電波に応じて、キャリア毎にフィルタの制御を行うことができる。しかしながら、上記第５実施形態に係る無線中継増幅装置４０Ｅにおいて、回り込みキャンセル部５０に、キャリアの通過や遮断及び帯域外の利得を抑えるためにデジタルフィルタ等を設け、この構成でキャリアの遮断を行った場合には、遮断されたキャリアはフィルタを通過することができないため、受信機５１では通過するキャリアに含まれる報知情報は受信できるが、遮断されたキャリアに含まれる報知情報は受信することができない。
そこで、図６に示すように、下り入力フィルタ４５ａで選択された下り信号を分配器４７ａによって回り込みキャンセル部５０へ入力する前で分配し、受信機５１に内蔵された切替器５６に入力する。また回り込みキャンセル部５０を通過し、回り込みによる劣化を抑えた波形を分配器４７ｂによって分配し、受信機５１の切替器５６に入力する。フィルタ５５によりキャリアが通過状態になっているときには、図６中のＢのルートを切替器５６により選択し、回り込みの影響を最小限に抑えて、受信の精度を向上させることができる。
また、フィルタ５５によりキャリアが遮断状態になっているときには、上記Ｂのルートでは受信できないと共に、遮断されたキャリアは回り込みと増幅の経路を遮断されていることになるため、回り込みによる波形の劣化や発振が発生しない。そのため、図６中のＡのルートを切替器５６により選択しても波形品質に問題がなく、なおかつフィルタ５５に遮断される前のルートから受信しているため、問題なく受信を行うことが可能となる。
なお、Ａのルート及びＢのルートを選択するための切替器５６に対する制御は、受信機５１若しくは制御部５２が行う態様をとることができる。例えば、切替器５６がＢのルートを選択している状態で、受信機５１がＢのルートからキャリアに含まれる報知情報を受信できないときには、制御部５２若しくは切替器５６は、キャリアがフィルタ５５により遮断されていると判断して、Ａのルートに切り替えるように切替器５６を制御してもよい。
（第７実施形態）  
次に本発明の第７実施形態に係る無線中継増幅装置について図７を参照して説明する。
図７は本発明の第７実施形態に係る無線中継増幅装置４０Ｇの構成を示すブロック図である。この第７実施形態に係る無線中継増幅装置４０Ｇは、上記第６実施形態に係る無線中継増幅装置４０Ｅの回り込みキャンセル部５０に、さらに受信機５１および切替器５６を設けたものである。その他の構成は第１実施形態と同じであるので、同一部分には同一符号を付して詳細な説明は省略する。
このように回り込みキャンセル部５０にフィルタ５５および受信機５１を統合させた場合にも第６実施形態と同様にフィルタ５５により遮断されたキャリアを受信するためには回り込みキャンセル部５０の処理前の信号を抽出する必要がある。また、キャリアが通過するようフィルタ５５が構成されているときには回り込みの影響を最小限に抑えるために、キャンセル処理を行った後の信号を抽出し、受信をする必要がある。そこで、図７に示すように、回り込みキャンセル部５０内で切替器５６によって信号を切り替えることにより、フィルタ５５の状態にかかわらずキャリアに含まれる報知情報を受信することが可能になる。受信機５１が回り込みキャンセル部５０と一体に構成されたハードウェアで信号処理により受信機能を実現している場合には、受信機５１の切り替えのためにハードウェアを追加する必要なく、追加コストの発生なしで実現が可能になる。
（第８実施形態）  
次に本発明の第８実施形態に係る無線中継増幅装置について図８を参照して説明する。
図８は本発明の第８実施形態に係る無線中継増幅装置４０Ｈの構成を示すブロック図である。この第８実施形態に係る無線中継増幅装置４０Ｈは、回り込みキャンセル部５０とフィルタ５５とを別のハードウェアユニットとして構成したものである。その他の構成は第１実施形態と同じであるので、同一部分には同一符号を付して詳細な説明は省略する。
図８に示すように、回り込みキャンセル部５０とフィルタ５５とが別のハードウェアユニットとして構成されている場合に、回り込みキャンセル部５０とフィルタ５５との中間部分に分配器４７を設け、フィルタ５５によりキャリアが遮断される前の信号を受信機５１へ入力するようにする。このようにしても、回り込み発生時の品質劣化を最小限に抑えながら、フィルタ５５によりキャリアを遮断している場合にも、その影響を受けることなく、受信機５１へ信号が入力できるため、フィルタ５５の状態にかかわらず受信が可能になる。
【００４３】
上記実施例６及び７に記載の回り込みキャンセル部は、回り込み波の発生の有無を判断する機能を有し、回り込みが発生していると判断された場合には、回り込みキャンセル部で回り込み波がキャンセルされた下り信号を受信機に入力するように切替器を切り替えるようにすることができる。一方、回り込みが発生していないと判断された場合には、回り込みキャンセル部で回り込み波がキャンセルされる前の下り信号を受信機に入力するように切替器を切り替えるようにすることができる。
上記各実施形態で示したように、自動利得制御機能を備えた無線中継増幅装置において、回り込みキャンセル部５０を備えることにより、対移動局用アンテナ４４から対基地局用アンテナ４３への回り込み波をキャンセルして入力波形品質の劣化を防止でき、このため入力波形品質の劣化により報知情報の受信が不能となって中継増幅動作が中断するという問題を解決することができる。
さらに、キャリア毎の通過、遮断機能を追加した無線中継増幅装置において、回り込みキャンセル部を通過した後に受信機を接続した場合、遮断した周波数を受信することができず、新たな周波数を検出するなどの動作をすることができないが、上記実施形態のように、遮断された周波数では、回り込みキャンセル部の前段より受信するようにすることで、すべての周波数を受信対象とすることが可能となる。
【００４４】
なお、本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００４５】
【図１】本発明の第１実施形態に係る無線中継増幅装置の構成を示すブロック図である。
【図２】本発明の第２実施形態に係る無線中継増幅装置の構成を示すブロック図である。
【図３】本発明の第３実施形態に係る無線中継増幅装置の構成を示すブロック図である。
【図４】本発明の第４実施形態に係る無線中継増幅装置の構成を示すブロック図である。
【図５】本発明の第５実施形態に係る無線中継増幅装置の構成を示すブロック図である。
【図６】本発明の第６実施形態に係る無線中継増幅装置の構成を示すブロック図である。
【図７】本発明の第７実施形態に係る無線中継増幅装置の構成を示すブロック図である。
【図８】本発明の第８実施形態に係る無線中継増幅装置の構成を示すブロック図である。
【図９】従来の基地局とユーザー側端末装置との間を中継する従来の無線中継増幅装置の構成例を示すブロック図である。
【符号の説明】
【００４６】
４０Ａ…第１実施形態に係る無線中継増幅装置、４０Ｂ…第２実施形態に係る無線中継増幅装置、４０Ｃ…第３実施形態に係る無線中継増幅装置、４０Ｄ…第４実施形態に係る無線中継増幅装置、４０Ｅ…第５実施形態に係る無線中継増幅装置、４０Ｆ…第６実施形態に係る無線中継増幅装置、４０Ｇ…第７実施形態に係る無線中継増幅装置、４０Ｈ…第８実施形態に係る無線中継増幅装置、４１…基地局側入出力端子、４２…移動局側入出力端子、４３…対基地局用アンテナ、４４…対移動局用アンテナ、４５ａ…下り入力フィルタ、４５ｂ…上り出力フィルタ、４６ａ…下り出力フィルタ、４６ｂ…上り入力フィルタ、４７…分配器、４８…下り増幅器、４９…上り増幅器、５０…回り込みキャンセル部、５０ａ…第１の回り込みキャンセル部、５０ｂ…第２の回り込みキャンセル部、５１…受信機、５２…制御部、５５…フィルタ、５６…切替器。
【図１】
0005178414.tif 000002
【図２】
0005178414.tif 000003
【図３】
0005178414.tif 000004
【図４】
0005178414.tif 000005
【図５】
0005178414.tif 000006
【図６】
0005178414.tif 000007
【図７】
0005178414.tif 000008
【図８】
0005178414.tif 000009
【図９】
0005178414.tif 000010